(57)【特許請求の範囲】
【請求項１】
収納箱体の内側上部に幕板及び同幕板後側に略水平に照明取付板を設けて照明装置を取り付ける収納ユニットの照明取付構造であって、幕板は、その横幅が収納箱体より小さい寸法を有するとともに、その両側を、収納箱体の天板にその上部が固着された、側部に通気開口を有する支持具の前片に、収納箱体の側板から間隔をもって固着され、照明取付板が、該支持具に設けられた支持片に取着され、幕板後側から収納箱体内部の側方下方へ連通する通気路を設けてなる収納ユニットの照明取付構造。
【請求項２】
収納箱体は、建物の壁に埋設されてなることを特徴とする請求項１記載の収納ユニットの照明取付構造。
【請求項３】
支持具は板金材料にて形成されて、その支持片が幕板後面への当接部となる垂下片の下端を後方へ折曲させて形成されるとともに同垂下片の上端を後方へ折曲させて収納箱体の天板に固着される固着片として、その固着片、垂下片及び支持片にて囲まれる空間を通気開口としてなることを特徴とする請求項１記載の収納ユニットの照明取付構造。
【請求項４】
収納箱体は、その扉体用の蝶番が、収納箱体の側板及び幕板間の隙間に収まるように収納箱体の測板に設けられてなることを特徴とする請求項１乃至３の何れか１つの請求項記載の収納ユニットの照明取付構造。
【発明の詳細な説明】
【０００１】
【発明の属する技術分野】
本発明は、収納箱体の内側上部に照明装置を取り付ける収納ユニットの照明取付構造に関するものである。
【０００２】
【従来の技術】
従来から、例えば、建物の壁に埋設され設置される壁面収納ユニットにおいて、収納箱体内部を明るく照らして収納作業を容易にするための照明装置を備えたものがある。この場合、収納箱体の施工の容易化を図るため、照明装置は、その光源への電源供給用配線の施工を省くのに最適な、電池式のものが多くの場合採用されている。
【０００３】
【発明が解決しようとする課題】
しかしながら、上記従来の技術においては、収納箱体内部を明るく照らして、使用者が収納物の選択等の作業に際しての照明演出性を高めるために、より明るいダウンライト等の交流電源による照明装置を使用する場合、光源から発せられる熱が収納箱体の内部にこもってその一部が温度上昇することが問題となる。
【０００４】
ところで、収納ユニットが露出型のときは、収納箱体の内側上部に幕板及び同幕板後側に略水平に照明取付板を設けて照明装置を取り付け、収納箱体の側板等に換気用の開口を設けることも考えられるが、この場合、収納ユニットの外観の美観低下の恐れがあった。また、壁に埋設される壁面収納ユニットにおいては、壁内空間と収納箱体内部とが連通することとなる。したがって、こ気密性低下によって、例えば湿気等が流入して収納物を劣化させて収納性を低下させるという問題も想定された。
【０００５】
本発明は、上記事由に鑑みてなしたもので、その目的とするところは、光源からの熱がその内部の一箇所にこもることが無くて、また、収納箱体の収納性を低下させることの無い収納ユニットの照明取付構造を提供することにある。
【０００６】
【課題を解決するための手段】
上記目的を達成するために、本発明の収納ユニットの照明取付構造にあっては、収納箱体の内側上部に幕板及び同幕板後側に略水平に照明取付板を設けて照明装置を取り付ける収納ユニットの照明取付構造であって、幕板は、その横幅が収納箱体より小さい寸法を有するとともに、その両側を、収納箱体の天板にその上部が固着された、側部に通気開口を有する支持具の前片に、収納箱体の側板から間隔をもって固着され、照明取付板が、該支持具に設けられた支持片に取着され、幕板後側から収納箱体内部の側方下方へ連通する通気路を設けてなることを特徴としている。
【０００７】
この場合、照明装置は、収納箱体上部に、その上部を収納箱体の天板に固着され、その側部に通気開口を有する支持具の前片に、その両側を収納箱体の側板から間隔をもって固着された、その横幅が収納箱体より小さい寸法を有する幕板後側の、該支持具に設けられた支持片に取着される照明取付板に取り付けられる。また、収納ユニットの収納箱体の内側上部に、幕板及び同幕板後側に略水平に照明取付板を設けて取り付けられた照明装置の取付箇所が、幕板後側から収納箱体内部の側方下方へ連通する通気路を介して通気される。
【０００８】
そして、上記収納箱体は、建物の壁に埋設されてなることが好ましい。
【０００９】
この場合、建物の壁に埋設されてなる収納ユニットの収納箱体の内側上部に取り付けられた照明装置の取付箇所を上記通気路を介して通気できる。
【００１２】
また、上記支持具は板金材料にて形成されて、その支持片が幕板後面への当接部となる垂下片の下端を後方へ折曲させて形成されるとともに同垂下片の上端を後方へ折曲させて収納箱体の天板に固着される固着片として、その固着片、垂下片及び支持片にて囲まれる空間を通気開口としてなるのが好ましい。
【００１３】
この場合、照明取付板は、その上端を後方へ折曲させて形成された固着片が収納箱体の天板に固着された、幕板後面への当接部となる垂下片の下端が後方へ折曲させて板金材料にて形成された支持片に取着されて、照明装置が、通気開口としての同垂下片に当接される幕板後方の垂下片及び支持片にて囲まれる空間から通気可能となるよう設けられる。
【００１４】
また、上記収納箱体は、その扉体用の蝶番が、収納箱体の側板及び幕板間の隙間に収まるように収納箱体の測板に設けられてなるのが好ましい。
【００１６】
【発明の実施の形態】
図１乃至図４は、本発明の請求項１乃至３及び５全てに対応する第１の実施の形態を示し、図５、６は、本発明の請求項４に対応する第２の実施の形態を示し、図７は、本発明の他の実施例を示している。
【００１７】
［第１の実施の形態］
図１は、第１の実施の形態の収納ユニットの照明取付構造を使用した壁面収納ユニットの概略構成を示し、（ａ）は扉体を外した状態の正面図、（ｂ）は扉体を外した状態の側面断面図である。図２は、同壁面収納ユニットの設置状態の外観を示し、（ａ）は正面図、（ｂ）は側面図である。図３は、同壁面収納ユニットの支持具を示す斜視図である。図４は、同壁面収納ユニットの収納箱体の内側上部の説明図である。
【００１８】
この実施の形態の収納ユニットの照明取付構造は、収納箱体２の内側上部に幕板３及び同幕板３後側に略水平に照明取付板４を設けて照明装置５を取り付ける収納ユニットの照明取付構造であって、幕板３後側から収納箱体２内部の側方下方へ連通する通気路Ａを設けてなる。
【００１９】
又、該実施の形態の収納ユニットの照明取付構造においては、収納箱体２は、建物の壁Ｗに埋設されてなる。又、該実施の形態の収納ユニットの照明取付構造においては、幕板３は、その横幅が収納箱体２より小さい寸法を有するとともに、その両側を、収納箱体２の天板２ｃにその上部が固着された、側部に通気開口６ｅを有する支持具６の前片６ｂに、収納箱体２の側板２ａから間隔をもって固着され、照明取付板４が、該支持具６に設けられた支持片６ｄに取着されてもいる。又、該実施の形態の収納ユニットの照明取付構造においては、収納箱体２は、その扉体８用の蝶番９が、収納箱体２の側板２ａ及び幕板３間に設けられてもいる。
【００２０】
詳しくは、この収納ユニットの照明取付構造は、例えば図２に示すような、建物の壁Ｗに埋設され設置される飾り棚等の壁面収納ユニット１に使用され、この壁面収納ユニット１は、内部に交流電源にて点灯される光源をもった照明装置５と、複数の棚板７を有する収納箱体２を備えてなり、収納箱体２の前面には扉体８が設けられている。
【００２１】
収納箱体２は、図１に示すような、上下に長く奥行きの浅い角箱状であり、両側の側板２ａ、背板２ｂ、上板２ｃ、及び底板２ｄにて形成されている。この収納箱体２は前面を開口しており、前面開口に扉体８が蝶番９にて開閉自在に取り付けられている。
【００２２】
収納箱体２の両側の側板２ａの内側には、ガラス、またはアクリル樹脂等の透過性樹脂材料製の板材にて形成された複数の棚板７を支持するための、棚受けダボを差し込んで装着するためのダボ孔２ｅを上下に多数段になるように等間隔に設けてあり、また、その前方の上下部及び中間位置に、後述する蝶番９を構成する蝶番台座金具９１固定用の固定孔（図示せず）が設けてある。なお、ダボ孔２ｅは、各段には各々前後に位置するように設けてある。また、背板２ｂの上部には、後述する幕板３の設けられる位置の後側に、その裏面側から照明装置５へ向けての配線を引き出すための電線引き出し孔を適宜穿設しても良い。
【００２３】
幕板３は、例えば合板、金属板等にて形成されたものであり、この幕板３の側部下部へと通気路Ａが形成されるように収納箱体２の横幅より短い長さの長尺板材にて形成され、長手方向の両側に、後述する支持具６の前片６ｂへねじ止めするための固定孔（図示せず）が２つずつ設けられている。この幕板３は、後述する照明取付板４とともにこの幕板３支持用の支持具６に着脱可能に取着され支持される。
【００２４】
照明取付板４は、後述する照明装置５を取り付けるためのもので、合板、金属板等でなり、その略中央に、この場合、丸形のダウンライトの本体部分を貫挿し取着する取付開口が適宜形成され、また長手方向の両側に、後述する支持具６の支持片６ｄへねじ止めするための固定孔が２つずつ設けられている。なお、この照明取付板４は、上記幕板３とは一体形成しても良いが、幕板３のみを取り外して、その後側の照明装置５への外部電線を収納箱体２の背板２ｂの裏側から引き込んで接続工事が容易に行えるよう、その幕板３を分離させて支持具６へ着脱自在に固定されるようになっている。
【００２５】
支持具６は、この場合、鋼板などの板金材料にて形成され、例えば図３に示すように、収納箱体２の天板２ｃに固着される上部の固着片６ａの一縁から垂下された垂下片６ｃの前端を内側に折曲して前片６ｂ、該垂下片６ｃの下端を正面視Ｌ字状となるように内側に折曲して支持片６ｄがそれぞれ設けられ、また、その垂下片６ｃの内側を支持片６ｄを前後に２分するように中程まで切り欠いて、この支持具６にて固定される、幕板３後側から収納箱体２内部の側方下方へ連通する通気路Ａを形成するための通気開口６ｅを設けて形成されている。固着片６ａには、この支持具６を天板２ｃに固定するための貫通孔６ｆ、６ｆが前後に穿設され、また、前片６ｂには上下、２分された支持片６ｄ、６ｄのそれぞれには、幕板３あるいは照明取付板４をこの支持具６にねじ固定する固定孔６ｇがそれぞれ設けられている。
【００２６】
なお、支持具６は、上記による形状以外に、例えば全体をパンチングメタル等で形成したり、あるいは如何なる形状であってもよく、板金材料によれば、その薄型化が容易となって収納スペースをより広く設けることが出来るが、この鋼板材料以外に合成樹脂材料にて形成することが可能である。
【００２７】
扉体８は、収納箱体２の前側全面にわたって設けられており、例えば所定の大きさの長尺状合板材表面に樹脂製の化粧シートが貼着され形成され、その長手方向一縁部裏面側の上下部及び中間位置に、後述する蝶番９を構成する、上記蝶番台座金具９１に着脱自在に係止されてこの扉体８を開閉自在とならしめる蝶番本体が（図示せず）が設けてある。なお、扉体８は、本実施の形態にて説明する壁面収納ユニット１以外の、内部照明用の照明装置５を有しない、同一モジュール寸法をもった他の一般の壁面収納ユニットと同一構成のものが使用される。すなわち、この壁面収納ユニット１においては、収納箱体２の側板２ａ及び上部の幕板３間に蝶番９を設ことにより扉体８の共用化設計を図ることができる。また、扉体８は、上記によるもの以外に、略全面にミラーを配設したミラー扉であっても良い。
【００２８】
なお、蝶番９は、良く知られた、収納箱体２に固定された蝶番台座金具９１と、扉体８に固定された別体の、その一端部に蝶番部をもった蝶番本体を、互いに設けられている嵌合構造を介して分離不能に組み付けて連結し、扉体８を開閉自在に装着するもので、上記の如く３箇所に設けることによって扉体８の周縁が収納箱体２の前縁に確実に密着される。
【００２９】
上記の壁面収納ユニット１を、住宅等の廊下等の壁Ｗに埋設する場合、予め、収納箱体２の背板２ｂの、上記電線引き出し孔へ向けて屋内電気配線を埋設しておき、まず、収納箱体２を壁Ｗに埋設する。次いで、両側の側板２ａの上記の適宜位置のダボ孔２ｅへ棚受けダボ及び、一側の所定位置へ蝶番台座金具９１を装着した後、棚板７をその棚受けダボ間に懸架させ配設する。
【００３０】
また、幕板３、照明取付板４を設けて照明装置５を取り付ける際には、まず、支持具６を、その固着片６ａを貫通孔６ｆ、６ｆに木ねじを挿通し天板２ｃの両側に、それぞれの前片６ｂが内側となるように木ねじ固定させた後、その両側に固定された支持具６の、支持片６ｄの固定孔６ｇへ照明取付板４の両側をねじ固定する。このとき、予め、照明装置５を照明取付板４へその所定の取付手段を用いて取り付け、その照明装置５へ屋内電気配線を接続したておいても良い。その後、幕板３をその上記固定孔を介してその前片６ｂに前側からねじ固定するが、支持具６の垂下片６ｃに通気開口６ｅが設けられているので、幕板３後側から収納箱体２内部の側方下方へ連通する、入り口と出口とをもった通気性の良好な通気路Ａが形成されるのである。
【００３１】
そして、上記の後、扉体８を、その長手方向一縁部裏面側に設けられた蝶番本体の他端部を収納箱体２に設けられている蝶番台座金具９１へ嵌合させて収納箱体２へ装着する。
【００３２】
したがって、以上説明した収納ユニットの照明取付構造によると、壁面収納ユニット１の収納箱体２の内側上部に、幕板３及び同幕板３後側に略水平に照明取付板４を設けて取り付けられた照明装置５の取付箇所が、幕板３後側から収納箱体２内部の側方下方へ連通する通気路Ａを介して通気されるので、光源からの熱がその内部の一箇所にこもることが無くて、また、収納箱体２の収納性を低下させることも無い。
【００３３】
そして、建物の壁Ｗに埋設されてなる壁面収納ユニット１の収納箱体２の内側上部に取り付けられた照明装置５の取付箇所を上記通気路Ａを介して通気できるので、埋込構造の収納ユニットの収納性を低下させること無く、以て、薄型の収納ユニットの照明演出性の向上を図ることができる。
【００３４】
また、照明装置５は、収納箱体２上部に、その上部を収納箱体２の天板２ｃに固着され、その側部に通気開口６ｅを有する支持具６の前片６ｂに、その両側を収納箱体２の側板２ａから間隔をもって固着された、その横幅が収納箱体２より小さい寸法を有する幕板３後側の、該支持具６に設けられた支持片６ｄに取着される照明取付板４に取り付けられるので、容易に配線の接続を行ってその配線を隠すことができ、また、幕板３を取り外して容易にランプ交換などのメンテナンス等もできで使い勝手を向上できる。しかも、支持具６を鋼板材料による板金金物製とした場合、より安いコストにて形成することができるという効果を奏する。
【００３５】
また、収納箱体２の扉体８は、その蝶番９が、収納箱体２の側板２ａ及び照明装置５の取り付けられる幕板３間の隙間に設けられるので、収納箱体２の側板２ａに蝶番９を同一モジュール寸法をもった他の収納ユニットと扉体８の共用化設計を図ることができて、製作の容易性を向上でき、しかも、蝶番９を３箇所に広く分散して設けることによって、扉体８の周縁を収納箱体２の前縁に確実に密着することができて、収納性もより向上できる。
【００３６】
［第２の実施の形態］
図５は、第２の実施の形態の収納ユニットの照明取付構造の、壁面収納ユニットの支持具を示す斜視図である。図６は、同壁面収納ユニットの収納箱体の内側上部の説明図である。図７は、本発明の収納ユニットの照明取付構造の、他の実施例の説明図である。
【００３７】
この実施の形態の収納ユニットの照明取付構造は、支持具の構成のみが第１の実施の形態と異なるもので、他の構成部材は第１の実施の形態のものと同一で、該実施の形態の収納ユニットの照明取付構造は、支持具６は板金材料にて形成されて、その支持片６ｄが幕板３後面への当接部となる垂下片６ｈの下端を後方へ折曲させて形成されるとともに同垂下片６ｈの上端を後方へ折曲させて収納箱体の天板２ｃに固着される固着片６ａとして、その固着片６ａ、垂下片６ｈ及び支持片６ｄにて囲まれる空間を通気開口６ｅとしてなる。
【００３８】
詳しくは、このものの支持具６は、鋼板などの板金材料にて形成され、図６に示すように、上部の固着片６ａに、この支持具６を天板２ｃに木ねじ固定するための貫通孔６ｆ、６ｆが前後に穿設され、また、その支持片６ｄには照明取付板４をこの支持具６にねじ固定する固定孔６ｇが穿設されて、第１の実施の形態のものより簡略な構成としている。
【００３９】
この場合、幕板３、照明取付板４を設けて照明装置５を取り付ける際には、まず、支持具６を、その固着片６ａを貫通孔６ｆ、６ｆに木ねじを挿通し、天板２ｃの両側に、それぞれの垂下片６ｈが前側となるように木ねじ固定させた後、その両側に固定された支持具６の、支持片６ｄの固定孔６ｇへ照明取付板４の両側をねじ固定する。このとき、予め、照明装置５を照明取付板４へその所定の取付手段を用いて取り付け、その照明装置５へ屋内電気配線を接続したておいても良い。その後、幕板３をその垂下片６ｈに向けて前側から固定するが、図６に示すように、幕板３の背面に固定具を設けるとともにその先端を照明取付板４の端面に埋設させて係合させ、ねじ頭を前面から見せないようにして固定しても良い。
【００４０】
したがって、以上説明した収納ユニットの照明取付構造によると、照明取付板４は、その上端を後方へ折曲させて形成された固着片６ａが収納箱体２の天板２ｃに固着された、幕板３後面への当接部となる垂下片６ｈの下端が後方へ折曲させて板金材料にて形成された支持片６ｄに取着されて、照明装置５が、通気開口６ｅとしての同垂下片６ｈに当接される幕板３後方の垂下片６ｈ及び支持片６ｄにて囲まれる空間から通気可能となるよう設けられるので、簡略な構成によってさらに安いコストにて形成することができるという効果を奏する。
【００４１】
なお、本発明は、上記にて示したもの以外に、例えば図７に示すように、照明取付板４の長手方向両側に開口を設けて、幕板３後側から収納箱体２内部の側方下方へ連通する通気路Ａを形成したもの等、各種実施の形態のものを含むことは言うまでも無い。
【００４２】
【発明の効果】
本発明の収納ユニットの照明取付構造は、上述の実施態様の如く実施されて、収納ユニットの収納箱体の内側上部に、幕板及び同幕板後側に略水平に照明取付板を設けて取り付けられた照明装置の取付箇所が、幕板後側から収納箱体内部の側方下方へ連通する通気路を介して通気されるので、光源からの熱がその内部の一箇所にこもることが無くて、また、収納箱体の収納性を低下させることも無い。
【００４３】
そして、建物の壁に埋設されてなる収納ユニットの収納箱体の内側上部に取り付けられた照明装置の取付箇所を上記通気路を介して通気できるので、埋込構造の収納ユニットの収納性を低下させること無く、以て、薄型の収納ユニットの照明演出性の向上を図ることができる。
【００４４】
また、照明装置は、収納箱体上部に、その上部を収納箱体の天板に固着され、その側部に通気開口を有する支持具の前片に、その両側を収納箱体の側板から間隔をもって固着された、その横幅が収納箱体より小さい寸法を有する幕板後側の、該支持具に設けられた支持片に取着される照明取付板に取り付けられるので、容易に配線の接続を行ってその配線を隠すことができ、また、幕板を取り外して容易にランプ交換などのメンテナンス等もできで使い勝手を向上できる。
【００４５】
また、照明取付板は、その上端を後方へ折曲させて形成された固着片が収納箱体の天板に固着された、幕板後面への当接部となる垂下片の下端が後方へ折曲させて板金材料にて形成された支持片に取着されて、照明装置が、通気開口としての同垂下片に当接される幕板後方の垂下片及び支持片にて囲まれる空間から通気可能となるよう設けられるので、簡略な構成によってさらに安いコストにて形成することができるという効果を奏する。
【００４６】
また、収納箱体の扉体は、その蝶番が、収納箱体の側板及び照明装置の取り付けられる幕板間の隙間に収まるように収納箱体の測板に設けられるので、収納箱体の側板に蝶番を同一モジュール寸法をもった他の収納ユニットと扉体の共用化設計を図ることができて、製作の容易性を向上でき、しかも、蝶番を３箇所に広く分散して設けることによって、扉体の周縁を収納箱体の前縁に確実に密着することができて、収納性もより向上できる。
【００４７】
【図面の簡単な説明】
【図１】本発明の一実施の形態の収納ユニットの照明取付構造を使用した壁面収納ユニットの概略構成を示し、（ａ）は扉体を外した状態の正面図、（ｂ）は扉体を外した状態の側面断面図である。
【図２】同壁面収納ユニットの設置状態の外観を示し、（ａ）は正面図、（ｂ）は側面図である。
【図３】同壁面収納ユニットの支持具を示す斜視図である。
【図４】同壁面収納ユニットの収納箱体の内側上部の説明図である。
【図５】第２の実施の形態の収納ユニットの照明取付構造の、壁面収納ユニットの支持具を示す斜視図である。
【図６】同壁面収納ユニットの収納箱体の内側上部の説明図である。
【図７】同収納ユニットの照明取付構造の、他の実施例の説明図である。
【符号の説明】
２    収納箱体
２ａ  側板
２ｃ  天板
３    幕板
４    照明取付板
５    照明装置
６    支持具
６ｂ  前片
６ｄ  支持片
６ｅ  通気開口
６ｈ  垂下片
８    扉体
９    蝶番
Ａ    通気路
Ｗ    壁
【図１】
0004419215.tif 000002
【図２】
0004419215.tif 000003
【図３】
0004419215.tif 000004
【図４】
0004419215.tif 000005
【図５】
0004419215.tif 000006
【図６】
0004419215.tif 000007
【図７】
0004419215.tif 000008